(57)【要約】【課題】光源制御量の導出時間が長くなった場合に、表示装置に表示する画像の明るさとバックライトの光量とが大きく乖離することを防止する。【解決手段】制御量導出部３４１が表示装置に表示させる画像の明るさに基づいて光源制御量を導出し、導出された光源制御量を時間フィルタ３４２が時間軸方向において平滑化する。そして、時間フィルタ３４２の処理結果に直近に導出された光源制御量（導出値）を反映させる程度を示す係数αは、光源制御量（導出値）の導出時間が長くなるほど高く設定される。このため、光源制御量（導出値）の導出時間が長くなった場合は、光源の光量の調整に用いる光源制御量（使用値）に直近に導出された光源制御量（導出値）が速やかに反映される。その結果、表示装置に表示する画像の明るさとバックライト４２の光量とが大きく乖離することを防止できる。【選択図】図３
2011248059.tif 000002
【特許請求の範囲】
【請求項１】
表示装置の画面を複数の光源で照明するバックライトを制御する表示制御装置であって、
前記表示装置に表示させる画像の明るさに基づいて、前記バックライトの光源の光量を規定する制御量を導出する導出手段と、
前記導出手段に導出された制御量を、時間軸方向において平滑化する平滑化手段と、
前記平滑化手段による処理結果に基づいて、前記光源の光量を調整する調整手段と、
前記導出手段による前記制御量の導出時間が長くなるほど、前記平滑化手段の処理結果に直近に導出された制御量を反映させる程度を高くする処理変更手段と、
を備えることを特徴とする表示制御装置。
【請求項２】
請求項１に記載の表示制御装置と、
前記表示制御装置から出力される画像を表示する表示装置と、
を備えることを特徴とする表示システム。
【請求項３】
表示装置の画面を複数の光源で照明するバックライトを制御する表示制御方法であって、
（ａ）前記表示装置に表示させる画像の明るさに基づいて、前記バックライトの光源の光量を規定する制御量を導出する工程と、
（ｂ）前記（ａ）工程で導出された制御量を、時間軸方向において平滑化する工程と、
（ｃ）前記（ｂ）工程による処理結果に基づいて、前記光源の光量を調整する工程と、
（ｄ）前記（ａ）工程における前記制御量の導出時間が長くなるほど、前記（ｂ）工程の処理結果に直近に導出された制御量を反映させる程度を高くする工程と、
を備えることを特徴とする表示制御方法。
【発明の詳細な説明】
【技術分野】
【０００１】
本発明は、表示装置の画面を照明するバックライトを制御する技術に関する。
【背景技術】
【０００２】
液晶パネルを用いる表示装置は、通常、バックライトを用いて画面を背面から照明している。表示装置は、バックライトからの光の透過率を画素ごとに変更することで各種内容の表示を実現する。このようなバックライトは、液晶パネルの画面全体を一律の光量で照明することが一般的である。
【０００３】
これに対して、液晶パネルの画面を複数の光源で照明可能にバックライトを構成し、画面に表示される画像における明るさの分布に応じて、各領域に対応する光源の光量を調整する表示制御装置が提案されている（例えば、特許文献１参照。）。具体的には、画像中の明るい領域に対応する光源の光量を比較的大きくし、暗い領域に対応する光源の光量を比較的小さくする。この技術を採用すれば、画面全体を一律の光量で照明した場合と比較して消費電力を有効に低減できる。
【先行技術文献】
【特許文献】
【０００４】
【特許文献１】特開平３−７１１１１号公報
【発明の概要】
【発明が解決しようとする課題】
【０００５】
上記のように画像の明るさの分布に応じてバックライトの光量の調整を行う場合は、まず、光源の光量を規定するための光源制御量を入力画像に基づいて導出する。次に、画面上のちらつきを防止するため、導出された光源制御量を時間フィルタに通し、時間軸方向において光源制御量を平滑化する。すなわち、時間フィルタによって光源制御量の急激な変化を緩和する。そして、この時間フィルタの演算結果である光源制御量に基づいて、バックライトの光源の光量を調整することになる。
【０００６】
ところで、入力画像に基づく光源制御量の導出時間は一定ではなく処理の対象とする入力画像の内容等によって異なり、１フレーム分の期間以内で完了する場合がある一方で、入力画像によっては数フレーム分の期間が必要となる場合もある。
【０００７】
このように光源制御量の導出時間が長くなる場合においては、その間は時間フィルタの演算を実行することができなくなる。このため、時間フィルタは、光源制御量の導出が完了するまで演算を待機し、光源制御量の導出の完了後に、その導出された光源制御量に基づいて演算を実行する。この場合において時間フィルタの演算結果は、数フレーム前に導出された過去の光源制御量の影響を受けることになる。したがって、時間フィルタの演算結果である光源の光量の調整に用いる光源制御量が、実際に表示装置に表示される画像の明るさと大きく乖離し、不自然な表示がなされる可能性がある。
【０００８】
本発明は、上記課題に鑑みてなされたものであり、制御量の導出時間が長くなった場合に、表示装置に表示する画像の明るさとバックライトの光量とが大きく乖離することを防止できる表示制御装置を提供することを目的とする。
【課題を解決するための手段】
【０００９】
上記課題を解決するため、請求項１の発明は、表示装置の画面を複数の光源で照明するバックライトを制御する表示制御装置であって、前記表示装置に表示させる画像の明るさに基づいて、前記バックライトの光源の光量を規定する制御量を導出する導出手段と、前記導出手段に導出された制御量を、時間軸方向において平滑化する平滑化手段と、前記平滑化手段による処理結果に基づいて、前記光源の光量を調整する調整手段と、前記導出手段による前記制御量の導出時間が長くなるほど、前記平滑化手段の処理結果に直近に導出された制御量を反映させる程度を高くする処理変更手段と、を備えている。
【００１０】
また、請求項２の発明は、表示システムであって、請求項１に記載の表示制御装置と、前記表示制御装置から出力される画像を表示する表示装置と、を備えている。
【００１１】
また、請求項３の発明は、表示装置の画面を複数の光源で照明するバックライトを制御する表示制御方法であって、（ａ）前記表示装置に表示させる画像の明るさに基づいて、前記バックライトの光源の光量を規定する制御量を導出する工程と、（ｂ）前記（ａ）工程で導出された制御量を、時間軸方向において平滑化する工程と、（ｃ）前記（ｂ）工程による処理結果に基づいて、前記光源の光量を調整する工程と、（ｄ）前記（ａ）工程における前記制御量の導出時間が長くなるほど、前記（ｂ）工程の処理結果に直近に導出された制御量を反映させる程度を高くする工程と、を備えている。
【発明の効果】
【００１２】
請求項１ないし３の発明によれば、制御量の導出時間が長くなるほど、平滑化手段の処理結果に直近に導出された制御量を反映させる程度を高くする。このため、制御量の導出時間が長くなった場合は、バックライトの光源の光量の調整に用いる平滑化手段の処理結果に、直近に導出された制御量が速やかに反映される。その結果、制御量の導出時間が長くなった場合に、表示装置に表示する画像の明るさとバックライトの光量とが大きく乖離することを防止できる。
【図面の簡単な説明】
【００１３】
【図１】図１は、車載表示システムの構成を示すブロック図である。
【図２】図２は、表示装置の構成の概要を示す分解斜視図である。
【図３】図３は、画像補正部及びバックライト制御部の機能構成を示す図である。
【図４】図４は、電力低減処理の概要を説明する図である。
【図５】図５は、時間フィルタの構成を示す図である。
【図６】図６は、光源制御量の導出に係る処理の流れを示す図である。
【図７】図７は、時間フィルタにおける処理の流れを示す図である。
【図８】図８は、光源制御量の変化の一例を示すタイムチャートである。
【図９】図９は、光源制御量の変化の一例を示すタイムチャートである。
【図１０】図１０は、光源制御量の変化の一例を示すタイムチャートである。
【図１１】図１１は、表示装置の構成の他の一例を示す分解斜視図である。
【発明を実施するための形態】
【００１４】
以下、図面を参照しつつ本発明の実施の形態について説明する。
【００１５】
＜１．構成＞
図１は、本実施の形態の車載表示システム１の構成を示すブロック図である。車載表示システム１は、例えば、自動車などの車両用のナビゲーションシステムとして構成されており、車両に搭載されて各種の画像を車室内のユーザに表示する機能を有している。例えば、車載表示システム１は、ナビゲーション案内用の地図画像の他、アンテナ９１で受信したテレビジョン放送信号に基づく画像、車両に設けられる車載カメラ９２で撮影された車両の周辺を示す車両周辺画像、及び、ＤＶＤなどの映像ディスク９３を読み取った画像などを表示可能となっている。
【００１６】
図１に示すように、車載表示システム１は、各種の表示が可能な表示装置４と、表示装置４の表示を制御する表示制御装置３と、表示装置４に表示するための映像ソースを提供する映像提供部２とを備えている。
【００１７】
さらに、車載表示システム１は、システム全体を制御するシステム制御部１０を備えている。システム制御部１０は、ＣＰＵ、ＲＡＭ及びＲＯＭなどを備えたマイクロコンピュータで構成される。システム制御部１０のＣＰＵが所定のプログラムに従って演算処理を行うことで、システム全体を制御するための各種の制御機能が実現される。システム制御部１０は、映像提供部２、表示制御装置３及び表示装置４の動作を統括的に制御する。
【００１８】
表示装置４は、画像を表示する液晶パネル４１と、その液晶パネル４１の画面を照明するバックライト４２とを備えている。この表示装置４の液晶パネル４１の画面がユーザである車両の乗員から視認できるように、車載表示システム１は車両のインストルメントパネルなどに設置される。
【００１９】
図２は、表示装置４の構成の概要を示す分解斜視図である。液晶パネル４１の画面４３は、例えば、縦横の二次元に配列された複数の画素（例えば、横８００画素×縦４８０画素）で構成されている。バックライト４２は、このような液晶パネル４１の画面４３を背面から照明する。液晶パネル４１は、このバックライト４２からの光の透過率を画素ごとに変更することで、各種内容の表示を実現する。
【００２０】
バックライト４２は、ＬＥＤ（Light Emitting Diode）などで構成される複数（本実施の形態では、例えば１２個）の光源４４を備えている。これら複数の光源４４は、画面４３の下辺に対応する位置の近傍に、画面４３の横方向に沿って一列に並べて配置されている。各光源４４の光軸４４ａは画面４３の縦方向に沿っており、各光源４４は画面４３の上辺に対応する位置に向けて発光する。また、液晶パネル４１の画面４３は、横方向に光源４４と同数の複数の区分領域４３ａに区分される。複数の光源４４は、複数の区分領域４３ａにそれぞれ対応している。換言すれば、複数の光源４４は、画面４３に表示する画像を横方向に区分した複数の領域にそれぞれ対応しているとも言える。各光源４４は、液晶パネル４１の画面４３の対応する区分領域４３ａの照明を主に担うことになる。
【００２１】
また、バックライト４２には、各光源４４に対応してドライバ（図示省略）が設けられている。ドライバは、対応する光源４４が発光する光量を変更することが可能となっている。ドライバは、制御信号としてＰＷＭ（Pulse Width Modulation）信号を受信し、対応する光源４４の光量をＰＷＭ信号が示すデューティ比に応じた光量にする。すなわち、デューティ比が高いほど光量を大きくし、デューティ比が低いほど光量を小さくする。したがって、バックライト４２は、液晶パネル４１の画面４３を、領域に応じて異なる光量で照明可能となっている。
【００２２】
図１に戻り、映像提供部２は、放送受信部２１、カメラ入力部２２、ディスク読取部２３、及び、ナビゲーション部２４を備えている。これらの映像提供部２の各部２１，２２，２３，２４から出力される画像は、所定の周期の同期信号とともに入力画像として表示制御装置３に入力される。一の同期信号ごとに一の入力画像が表示制御装置３に入力される。このため、時間的に連続して所定の入力周期で入力画像が表示制御装置３に入力されることになる。
【００２３】
入力画像は表示制御装置３において所定の処理が施された後に、表示制御装置３から同期信号とともに連続して出力される。これにより、表示装置４においては、時間的に連続する複数の画像が、動画像として表示される。
【００２４】
放送受信部２１は、車両に搭載されたアンテナ９１で受信したテレビジョン放送やデータ放送などの放送信号をデコードし、その放送内容を示す画像を取得して表示制御装置３に出力する。
【００２５】
カメラ入力部２２は、車載カメラ９２と接続され、車載カメラ９２で撮影された車両の周辺を示す画像を取得して表示制御装置３に出力する。
【００２６】
ディスク読取部２３は、ＤＶＤなどの映像ディスク９３の読取装置として構成され、映像ディスク９３の記録内容を示す画像を取得して表示制御装置３に出力する。
【００２７】
また、ナビゲーション部２４は、ナビゲーション案内のための機能を集約した電子基板として構成されている。ナビゲーション部２４は、ナビゲーション案内用の地図画像などを表示制御装置３に出力する。
【００２８】
表示制御装置３は、例えばＡＳＩＣ（Application Specific Integrated Circuit）として構成され、表示対象となる入力画像を処理する機能とともに、バックライト４２の動作を制御する機能を有している。
【００２９】
図１に示すように、表示制御装置３は、所定の機能を実現する機能部として、画像入力部３１、画像補正部３３、及び、バックライト制御部３４を備えている。
【００３０】
画像入力部３１は、映像提供部２の各部２１，２２，２３，２４から映像ソースとしての入力画像を入力する。画像入力部３１は、システム制御部１０からの指示に基づいてスイッチングを行って、映像提供部２から入力される４種類の映像ソースのいずれか一つを表示すべき対象として選択し、画像補正部３３及びバックライト制御部３４に供給する。
【００３１】
画像補正部３３は、入力画像を増幅して増幅画像を生成し、増幅画像を表示装置４の液晶パネル４１に出力して表示させる。また、バックライト制御部３４は、入力画像の明るさに応じて表示装置４のバックライト４２の複数の光源４４の光量をそれぞれ調整する。
【００３２】
図３は、画像補正部３３及びバックライト制御部３４の機能構成を、より詳細に示す図である。図に示すように、画像補正部３３は、画像増幅部３３１及び画像出力部３３２を備えている。また、バックライト制御部３４は、制御量導出部３４１、時間フィルタ３４２、導出時間算出部３４３、及び、デューティ制御部３４８を備えている。以下、これらの機能の詳細について説明する。
【００３３】
＜２．電力低減処理＞
表示制御装置３は、表示装置４の消費電力を低減する電力低減処理を行うことが可能となっている。図３に示す構成のうち、バックライト制御部３４の制御量導出部３４１はバックライト４２の光量を抑制するための処理を行い、画像補正部３３の画像増幅部３３１は入力画像の輝度を増幅する処理を行う。電力低減処理は主に、これらの制御量導出部３４１及び画像増幅部３３１の処理により実現される。図４は、この電力低減処理の概要を説明する図である。
【００３４】
制御量導出部３４１は、バックライト４２の複数の光源４４の光量をそれぞれ規定する複数の光源制御量を導出する（処理Ｐ１）。制御量導出部３４１は、一の光源４４に対して一の光源制御量を導出するため、光源４４の数と同数（本実施の形態では、例えば１２個）の光源制御量を導出する。この光源制御量は、光源４４が発光すべき光量を最大光量に対する比率（％）で示している。
【００３５】
制御量導出部３４１は、入力画像Ｇ１の明るさを示す輝度の分布に基づいて光源４４の光源制御量を導出する。具体的には、入力画像Ｇ１において、輝度が比較的大きい領域に対応する光源４４の光源制御量は比較的大きく設定され、逆に、輝度が比較的小さい領域に対応する光源４４の光源制御量は比較的小さく設定される。
【００３６】
このように導出された光源制御量は、時間フィルタ３４２にて所定の処理がなされた後、デューティ制御部３４８、及び、画像補正部３３の画像増幅部３３１に入力される。
【００３７】
デューティ制御部３４８に入力された光源制御量は、ＰＷＭ信号のデューティ比として利用される。デューティ制御部３４８は、このデューティ比を設定したＰＷＭ信号を、バックライト４２の各光源４４のドライバに送信する（処理Ｐ２）。
【００３８】
これにより、バックライト４２においては、入力画像Ｇ１の輝度が大きい領域に対応する光源４４の光量は小さく抑制され、光量は比較的大きくなる。逆に、入力画像Ｇ１の輝度が小さい領域に対応する光源４４の光量は大きく抑制され、光量は比較的小さくなる。このように、バックライト４２の光量を抑制することで、バックライト４２の全ての光源４４を一律に最大光量（１００％の光量）で発光する場合と比較して消費電力が低減される。なお、図４中において、バックライト４２において光量が比較的小さい部分については濃いハッチングを用い、光量が比較的大きい部分については薄いハッチングを用いている。
【００３９】
一方で、このようなバックライト４２の光量を抑制した場合の視認上の影響を緩和するため、入力画像Ｇ１の画素値が増幅される。画像補正部３３の画像増幅部３３１が、入力された光源制御量に応じて入力画像Ｇ１の画素値を増幅して、増幅画像Ｇ２を生成する（処理Ｐ３）。
【００４０】
具体的には、複数の光源４４の光源制御量に基づいて、画面４３上の入力画像Ｇ１を照明した場合におけるバックライト４２の光量が、入力画像Ｇ１の各画素の位置ごとに導出される。そして、バックライト４２の光量が比較的小さくなる位置の画素については増幅率が比較的大きく設定される。逆に、バックライト４２の光量が比較的大きくなる位置の画素については増幅率が比較的小さく設定される。そして、設定された増幅率に基づいて、入力画像Ｇ１の各画素の画素値（ＲＧＢ値または輝度値）が増幅され、増幅画像Ｇ２が生成される。生成された増幅画像Ｇ２は、画像出力部３３２から出力されて液晶パネル４１に表示される。
【００４１】
このようなバックライト４２の光量の調整と、増幅画像Ｇ２の液晶パネル４１への表示とが同時になされることで、液晶パネル４１の画面４３においてユーザが観察する観察画像Ｇ３は自然なものとなる。これは、バックライト４２の光量の抑制による視認性への影響が、画像の画素値の増幅によって相殺されるためである。その結果、観察画像Ｇ３を自然としながらも、消費電力を有効に低減できることになる。
【００４２】
ところで、制御量導出部３４１が一の入力画像に基づいて光源制御量を導出する処理にかかる時間（以下、「導出時間」という。）は、対象とする入力画像の内容（輝度の分布の状態）に応じて異なる。通常、導出時間は、１フレーム分の期間（＝同期信号の周期＝画像の入力周期）以内となるが、入力画像の内容によっては１フレーム分の期間以上となる場合もある。この導出時間は、導出時間算出部３４３によって算出される。
【００４３】
制御量導出部３４１は、光源制御量の導出処理が完了したときに、導出処理が完了したことを示す完了信号を導出時間算出部３４３に出力する。また、導出時間算出部３４３には、画像入力部３１から同期信号も入力される。導出時間算出部３４３は、光源制御量の導出処理が開始される同期信号から完了信号を受信するまでに入力された同期信号の数に基づいて、光源制御量の導出時間を算出する。
【００４４】
導出時間算出部３４３は、制御量導出部３４１から完了信号の受信に応答して、光源制御量の導出時間を算出する。そして、導出時間算出部３４３は、算出した導出時間とともに、演算を実行すべきことを示す更新信号を同期信号のタイミングで時間フィルタ３４２に出力する。
【００４５】
＜３．時間フィルタ＞
時間フィルタ３４２は、制御量導出部３４１に繰り返し導出される光源制御量を、時間軸方向において平滑化する演算を実行する。
【００４６】
制御量導出部３４１によって導出される光源制御量は入力画像の明るさに応じたものとなる。このため、入力画像の明るさにおいて急激な変化があるような場合は、制御量導出部３４１によって導出される光源制御量も急激に変化する。仮に、この制御量導出部３４１によって導出された光源制御量をそのまま光量の調整に用いた場合は、バックライトの光量が急激に変化して画面がちらついていると感じることになる。
【００４７】
このため、本実施の形態の車載表示システム１では、制御量導出部３４１によって導出される光源制御量を時間フィルタ３４２に通し、その時間フィルタ３４２の演算結果である光源制御量をデューティ制御部３４８及び画像増幅部３３１に入力して、実際の制御（光量の調整や増幅画像の生成）に用いるようになっている。時間フィルタ３４２は、時間軸方向において光源制御量を平滑化することで、光源制御量の変化を緩和する。これにより、光源制御量の急激な変化が緩和され、画面のちらつきを防止できる。以下、時間フィルタ３４２に通す前の制御量導出部３４１に導出された光源制御量を「光源制御量（導出値）」ともいい、時間フィルタ３４２の演算結果である実際の制御に用いる光源制御量を「光源制御量（使用値）」ともいう。
【００４８】
図５は、時間フィルタ３４２の構成を示す図である。図５に示す構成の時間フィルタ３４２は、光源４４の数と同数（すなわち、制御量導出部３４１によって導出される光源制御量の数と同数）用意される。各時間フィルタ３４２は一の光源４４に対応しており、対応する光源４４の光源制御量（導出値）に基づいて、対応する光源４４の光源制御量（使用値）を演算により求める。
【００４９】
図に示すように、時間フィルタ３４２は、２つの増幅器５１，５４と、加算器５２と、使用値メモリ５３と、係数設定部５５とを備えている。使用値メモリ５３には導出時間算出部３４３（図３参照。）から更新信号が入力され、係数設定部５５には導出時間算出部３４３から光源制御量の導出時間が入力される。
【００５０】
増幅器５１には、制御量導出部３４１によって直近に導出された光源制御量（導出値）が入力される。増幅器５１では、光源制御量（導出値）に係数α（α＜１）が乗算され、その結果は加算器５２に出力される。
【００５１】
使用値メモリ５３は、光源制御量（使用値）を記憶するためのメモリである。使用値メモリ５３に記憶された光源制御量（使用値）は、増幅器５４に入力される。増幅器５４では、この光源制御量（使用値）に（１−α）が乗算され、その結果は加算器５２に出力される。
【００５２】
２つの増幅器５１，５４の乗算結果は加算器５２において加算される。これにより、加算器からは、次の式（１）で示されるＺｎが出力される。
【００５３】
Ｚｎ＝α・Ｉｎ＋（１−α）・Ｚｎ−１  …（１）
式（１）において、Ｉｎは増幅器５１に入力された光源制御量（導出値）であり、Ｚｎ−１は演算前に使用値メモリ５３に記憶されていた光源制御量（使用値）である。導出されたＺｎは、使用値メモリ５３に新たに記憶されることになる。この使用値メモリ５３に記憶されたＺｎが、光源制御量（使用値）として実際の制御（光量の調整や増幅画像の生成）に用いられる。これとともに、使用値メモリ５３に記憶されたＺｎは、次の式（１）の演算におけるＺｎ−１としても利用される。
【００５４】
時間フィルタ３４２は、このような式（１）に示す演算を繰り返すことにより、時間的に連続して導出される複数の光源制御量（導出値）を、時間軸方向において平滑化することになる。式（１）に示す時間フィルタ３４２の演算は、更新信号が使用値メモリ５３に入力されるごとに実行される。
【００５５】
また、係数αは、係数設定部５５によって設定される。式（１）に示すように、係数αは、時間フィルタ３４２の処理結果であるＺｎに、直近に導出された光源制御量（導出値）Ｉｎを反映させる程度を示すものとなる。したがって、係数αが高いほど、光源制御量（使用値）は、直近に導出された光源制御量（導出値）の影響を受ける。すなわち、係数αが高いほど、光源制御量（導出値）の変化に合わせて、光源制御量（使用値）が敏感に変化することになる。
【００５６】
係数設定部５５は、導出時間算出部３４３から入力される光源制御量（導出値）の導出時間に応じて係数αを設定する。具体的には、係数設定部５５は、導出時間が長いほど係数αを高くする。例えば、導出時間が１フレーム分の期間以内であれば係数αは基準値である０．１に設定される。これに対して、導出時間が１フレーム分以上２フレーム分の期間以内であれば、係数αは基準値の２倍の０．２に設定され、導出時間が２フレーム分以上３フレーム分の期間以内であれば、係数αは基準値の３倍の０．３に設定される。
【００５７】
＜４．処理の流れ＞
次に、車載表示システム１の処理の流れについて説明する。図６は主に、制御量導出部３４１による光源制御量の導出に係る処理の流れを示す図である。一方、図７は、時間フィルタ３４２における処理の流れを示す図である。
【００５８】
まず、図６に示す処理から説明する。バックライト制御部３４に同期信号が入力される（ステップＳ１１にてＹｅｓ）と、この同期信号とともに入力される入力画像に基づいて、制御量導出部３４１が光源制御量（導出値）を導出する導出処理が開始される（ステップＳ１２）。前述のとおり、光源制御量（導出値）の導出時間は通常、１フレーム分の期間（＝同期信号の周期＝画像の入力周期）以内となるが、入力画像の内容によっては１フレーム分の期間以上となる場合もある。
【００５９】
光源制御量（導出値）の導出処理が完了すると（ステップＳ１３にてＹｅｓ）、制御量導出部３４１から時間フィルタ３４２に光源制御量（導出値）が出力されるとともに、導出時間算出部３４３に完了信号が出力される（ステップＳ１４）。
【００６０】
導出時間算出部３４３は、この完了信号の受信に応答して、導出処理中に入力された同期信号の数に基づいて、光源制御量（導出値）の導出時間を算出する。例えば、導出処理中に同期信号が入力されなかった場合は導出時間は１フレーム分の期間以内となり、１つの同期信号が入力された場合は導出時間は１フレーム分以上２フレーム分の期間以内となり、２つの同期信号が入力された場合は導出時間は２フレーム分以上３フレーム分の期間以内となる（ステップＳ１５）。
【００６１】
導出時間算出部３４３は、光源制御量（導出値）の導出時間を算出すると、算出した導出時間と更新信号とを時間フィルタ３４２に同期信号のタイミングで出力する（ステップＳ１６）。その後、処理はステップＳ１１に戻り、再び光源制御量（導出値）の導出処理が開始されることになる。
【００６２】
次に、図７に示す処理について説明する。導出時間算出部３４３から時間フィルタ３４２に更新信号が入力されると（ステップＳ２１にてＹｅｓ）、この更新信号とともに入力された光源制御量の導出時間に基づいて、係数設定部５５が係数αを設定する。前述したとおり、係数設定部５５は、光源制御量（導出値）の導出時間が長いほど係数αを高く設定することになる。設定した係数αは２つの増幅器５１，５４にそれぞれ入力される（ステップＳ２２）。
【００６３】
そして、設定した係数αを用いて式（１）に示す時間フィルタ３４２の演算が実行される。これにより新たな光源制御量（使用値）が導出されて使用値メモリ５３に記憶される。この光源制御量（使用値）は、実際の制御（光量の調整や増幅画像の生成）に用いられることになる（ステップＳ２３）。その後、処理はステップＳ２１に進み、更新信号の入力を待機する状態となる。
【００６４】
更新信号は光源制御量（導出値）の導出が完了するごとに出力されるため、時間フィルタ３４２は、光源制御量（導出値）の導出が完了するごとに、光源制御量（使用値）を更新する。したがって、光源制御量（導出値）の導出時間が長くなる場合においても、光源制御量（導出値）の導出中においては光源制御量（使用値）が更新されず、光源制御量（導出値）の導出の完了後に光源制御量（使用値）は更新されることになる。
【００６５】
これに対し、本実施の形態では、光源制御量（導出値）の導出時間が長いほど係数αが高く設定されることから、光源制御量（導出値）の導出時間が長くなった場合には、実際の制御に用いる光源制御量（使用値）に、直近に導出された光源制御量（導出値）が速やかに反映される。これにより、表示装置４に表示する画像の明るさとバックライトの光量とが大きく乖離することを防止できることになる。
【００６６】
＜５．タイムチャート＞
図８ないし図１０は、光源制御量の変化の一例を示すタイムチャートである。これらの図中では、横軸は時間を示し、縦軸は光源制御量を示している。横軸に沿ったＴ１１〜Ｔ１７は同期信号が発生する時点をそれぞれ示している。また、円形記号は光源制御量（導出値）を示し、矩形記号は光源制御量（使用値）を示している。
【００６７】
図８は、光源制御量（導出値）の導出時間が全て１フレーム分の期間以内で完了した場合の例を示している。この場合は、各時点Ｔ１１〜Ｔ１７において前同期信号から現同期信号までの間に光源制御量（導出値）の導出処理が完了している。このため、各時点Ｔ１１〜Ｔ１７においては、その光源制御量（導出値）に基づいて光源制御量（使用値）が更新される。図に示すように、時間フィルタ３４２の処理結果である光源制御量（使用値）は、光源制御量（導出値）と比較して緩やかに変化する。
【００６８】
また、図９及び図１０は、光源制御量（導出値）の導出時間が２フレーム分の期間以上かかった場合の例を示している。具体的には、時点Ｔ１３から開始された光源制御量（導出値）の導出処理は、時点Ｔ１４及び時点Ｔ１５においても完了せず、時点Ｔ１５から時点Ｔ１６までの間に完了した場合を例示している。この場合、時点Ｔ１４及び時点Ｔ１５においては、光源制御量（使用値）が更新されず、時点Ｔ１３に更新された光源制御量（使用値）が継続して使用される。
【００６９】
図９は、本実施の形態に係る処理を実行せずに、係数αを固定して用いるようにした比較例を示している。一方、図１０は、本実施の形態に係る処理を実行し、光源制御量（導出値）の導出時間が長いほど係数αを高く設定するようにした例を示している。いずれの場合も、光源制御量（導出値）の導出処理の完了後の時点Ｔ１６において、時間フィルタ３４２の演算が実行されて光源制御量（使用値）が更新される。
【００７０】
図９に示す場合は、係数αは固定されているため、時点Ｔ１６において更新された光源制御量（使用値）に、直近に導出された光源制御量（導出値）が反映される程度が低い。その結果、光源制御量（使用値）と、実際の画像に基づく光源制御量（導出値）とが乖離した状態がしばらく継続することになる。すなわち、表示装置４に表示する画像の明るさとバックライト４２の光量とが乖離した状態が継続する可能性がある。
【００７１】
これに対して、図１０に示す場合は、時点Ｔ１６において係数αが基準値よりも高く設定される。このため、時点Ｔ１６において更新された光源制御量（使用値）に、直近に導出された光源制御量（導出値）が反映される程度が高くなる。その結果、図９の場合と比較して、光源制御量（使用値）が、実際の画像に基づく光源制御量（導出値）に大きく近づくことになる。すなわち、表示装置４に表示する画像の明るさとバックライト４２の光量とが乖離することを防止できることになる。
【００７２】
以上のように、本実施の形態の車載表示システム１では、制御量導出部３４１が表示装置４に表示させる画像の明るさに基づいて光源制御量（導出値）を導出し、導出された光源制御量（導出値）を時間フィルタ３４２が時間軸方向において平滑化する。そして、時間フィルタ３４２の処理結果に直近に導出された光源制御量（導出値）を反映させる程度である係数αは、光源制御量（導出値）の導出時間が長くなるほど高く設定される。このため、光源制御量（導出値）の導出時間が長くなった場合は、バックライト４２の光源の光量の調整に用いる光源制御量（使用値）に直近に導出された光源制御量（導出値）が速やかに反映される。その結果、光源制御量（導出値）の導出時間が長くなった場合に、表示装置４に表示する画像の明るさとバックライト４２の光量とが大きく乖離することを防止できる。
【００７３】
＜６．変形例＞
以上、本発明の実施の形態について説明してきたが、この発明は上記実施の形態に限定されるものではなく様々な変形が可能である。以下では、このような変形例について説明する。上記実施の形態で説明した形態及び以下で説明する形態を含む全ての形態は、適宜に組み合わせ可能である。
【００７４】
上記実施の形態では、バックライト４２が備える複数の光源４４は画面４３の横方向に沿って一列に並べて配置されていたが、図１１に示すように、複数の光源４５を縦横の二次元マトリクス状に配列してもよい。この場合、液晶パネル４１の画面４３も縦横の二次元マトリクス状に配列される複数の区分領域４３ｂに区分され、一の光源４５が一の区分領域４３ｂに対応する。各光源４５は、対応する区分領域４３ｂを背面から照明することになる。
【００７５】
また、上記実施の形態において、ハードウェア回路によって実現されるとした機能のうちの一部は、ソフトウェア的に実現されてもよい。
【符号の説明】
【００７６】
３    表示制御装置
４    表示装置
３４    バックライト制御部
４１    液晶パネル
４２    バックライト
５１    増幅器
５２    加算器
５３    使用値メモリ
５４    増幅器
５５    係数設定部
３４１    制御量導出部
３４２    時間フィルタ
３４３    導出時間算出部
【図１】
2011248059.tif 000003
【図２】
2011248059.tif 000004
【図３】
2011248059.tif 000005
【図４】
2011248059.tif 000006
【図５】
2011248059.tif 000007
【図６】
2011248059.tif 000008
【図７】
2011248059.tif 000009
【図８】
2011248059.tif 000010
【図９】
2011248059.tif 000011
【図１０】
2011248059.tif 000012
【図１１】
2011248059.tif 000013